(57)【特許請求の範囲】
【請求項１】
電源の正極側と接続される端子部と、前記電源のアース側と接続される端子部とを有し、前記電源のアース側と接続される端子部に当該放電灯点灯装置のアースを取るアース接続部が接続された形状のターミナルを有し、このターミナルに高圧放電灯の点灯制御を行う各種回路素子が接続されてなる回路部と、
前記回路部と前記高圧放電灯の間を接続する出力線と、
前記出力線を覆うシールド部材と、
前記回路部を収納する金属製の収納部材とを備え、
前記収納部材に前記回路部が収納された状態で、前記ターミナルの前記アース接続部と、前記シールド部材と、前記収納部材とが、１箇所にてアース接続された構造になっていることを特徴とする放電灯点灯装置。
【請求項２】
前記回路部は、前記各種回路素子が実装されるケース部材を有し、前記シールド部材は、前記ケース部材に固定部材を用いて固定されており、前記シールド部材のアース接続は、前記固定部材を介して行われるようになっていることを特徴とする放電灯点灯装置。
【請求項３】
電源の正極側と接続される端子部と、前記電源のアース側と接続される端子部とを有し、前記電源のアース側と接続される端子部に当該放電灯点灯装置のアースを取るアース接続部が接続された形状のターミナルを有し、このターミナルに高圧放電灯の点灯制御を行う各種回路素子が接続されてなる回路部と、
前記回路部と前記高圧放電灯の間を接続する出力線と、
前記出力線を覆うシールド部材と、
前記回路部を収納するための、金属製のベース部材と金属製のカバー部材とを備え、
前記回路部は、前記各種回路素子が実装されるケース部材を有し、前記シールド部材は、前記ケース部材に固定部材を用いて固定されており、
前記ベース部材に前記回路部および前記カバー部材が組み付けられた状態で、前記カバー部材と、前記ターミナルの前記アース接続部と、前記固定部材と、前記ベース部材とが、ネジ止めによってアース接続された構造になっていることを特徴とする放電灯点灯装置。
【請求項４】
前記ベース部材は、外側に突出したネジ止め部を有し、前記アース接続部、前記固定部材および前記カバー部材は、前記回路部および前記カバー部材が前記ベース部材に組み付けられたときに前記ネジ止め部にてネジ止めされるような形状になっていることを特徴とする請求項３に記載の放電灯点灯装置。
【請求項５】
電源の正極側と接続される端子部と、前記電源のアース側と接続される端子部とを有し、前記電源のアース側と接続される端子部に当該放電灯点灯装置のアースを取るアース接続部が接続された形状のターミナルを有し、このターミナルに高圧放電灯の点灯制御を行う各種回路素子が接続されてなる回路部と、
前記回路部と前記高圧放電灯の間を接続する出力線と、
前記出力線を覆うシールド部材と、
上部が開口した箱状の金属製のベース部材と、
平板状の金属製のカバー部材とを備え、
前記回路部は、前記各種回路素子が実装されるケース部材を有し、前記シールド部材は、前記ケース部材にクリップを用いて固定されており、さらに前記ターミナルの前記アース接続部が前記ケース部材から突出しており、
前記ベース部材に前記回路部が組み付けられ、さらに前記ベース部材の前記開口した部分に前記カバー部材が装着された状態で、前記カバー部材と、前記アース接続部と、前記クリップと、前記ベース部材とが、ネジ止めによってアース接続された構造になっていることを特徴とする放電灯点灯装置。
【発明の詳細な説明】
【０００１】
【発明の属する技術分野】
本発明は、高圧放電灯を点灯する放電灯点灯装置に関し、高圧放電灯としては例えば車両の前照灯に用いることができる。
【０００２】
【従来の技術および発明が解決しようとする課題】
従来、高圧放電灯（以下、ランプという）の点灯装置（以下、バラストという）においては、ランプの点灯始動時に、スタータトランスを用いて高電圧を得、この高電圧によりランプの電極間に容量放電を生じさせてアークを形成し、その後、安定点灯に移行させるようにしている。
【０００３】
本発明者らは、このようなバラストとして、以下に示すものを試作し、検討を行った。図５は、そのバラストの組み付け構成を示す図であり、図６は、バラストの電気的な概略構成を示す図である。
バラストは、図６に示すように、ＤＣ／ＤＣコンバータ２により電源（以下、バッテリという）１の電圧を昇圧し、インバータ回路３にてその昇圧電圧を交流電圧に変換してランプ４を点灯させるように構成されている。また、ランプ４の点灯始動時には始動回路５におけるスタータトランス１２により高電圧を発生させ、ランプ４の電極間に容量放電させてアークを形成し、その後安定点灯に移行させる。なお、上記した各回路２〜５は、図示しない制御回路によって制御される。
【０００４】
また、バラストは、図５に示すように、カバー（カバー部材）１１、始動回路５を構成するスタータトランス１２、サイリスタ１３、コンデンサ１４、ＤＣ／ＤＣコンバータ２を構成するトランス１５、コンデンサ１６、１７、インダクタ１８、インバータ回路３および制御回路の回路素子部分をＩＣ化したハイブリッドＩＣ（以下、ＨＩＣという）１９、回路素子１３〜１８とＨＩＣ１９などの各種回路素子を電気的に接続するターミナル２０、樹脂製のバスバーケース（ケース部材）２１、およびベース（ベース部材）２２などから構成されている。
【０００５】
上記したターミナル２０は、バスバーケース２１にインサート成型されて一体的に構成されている。回路素子１３〜１８は、バスバーケース２１に取り付けられた後、ターミナル２０に溶接、ハンダ等で接続される。また、ＨＩＣ１９は、ベース２２に貼り付けられており、ベース２２にバスバーケース２１が接着された後、ＨＩＣ１９の各端子とターミナル２０とがワイヤボンディングで接続される。そして、上記したＨＩＣ１９、ターミナル２０、バスバーケース２１にて、ランプ４の点灯制御を行う回路部を構成している。この回路部とランプ４との間は、出力線２３、２４で接続されている。そして、出力線２３、２４は、図に示すようにグロメット２５によりバスバーケース２１に固定されている。
【０００６】
上記した構成において、ターミナル２０は、バスバーケース２１のコネクタ部２１ａにおいて、バッテリ１からの配線と接続される。ここで、ターミナル２０は、バッテリ１の正極側と接続される端子部２０ａとバッテリ１の負極側、すなわちアース側と接続される端子部２０ｂを有しており、さらに端子部２０ｂはこのバラストのアースを取るアース接続部２０ｃに接続されている。そして、そのアース接続部２０ｃにおいてネジ２６を用いてバスバーケース２１とベース２２をネジ止めすることにより、アース接続部２０ｃとベース２２がアース接続される。また、カバー１１は、図示しないネジ等によってベース２２に組み付けられる。この組み付けによって、カバー１１は、ベース２２を介してアース接続部２０ｃにアース接続される。
【０００７】
図７に、ベース２２、バスバーケース２１、カバー１１を組み付けた状態を示す。カバー１１、ベース２２には、半リング状のシース接続部１１ａ、２２ａが形成されている。出力線２３、２４は、導体で構成されたシールドシース（シールド部材）２７で覆われ、このシールドシース２７は、シース接続部１１ａ、２２ａの外周にクリップ（固定部材）２８によって固定される。このことにより、シールドシース２７は、ベース２２、カバー１１を介してアース接続部２０ｃにアース接続される。
【０００８】
なお、カバー１１、ベース２２は、回路部を収納する収納部材であって、放射ノイズの対策上、金属で構成されており、それらはダイカストにて製作されている。
本発明者らは上記試作したものについて鋭意検討を行った。上記した構成のものでは、ターミナル２０のアース接続部２０ｃとベース２２の間のネジ止めにより、ベース２２とカバー１１のアースを取り、またシールドシース２７をクリップ２８によりシース接続部１１ａ、２２ａに固定して、シールドシース２７をバラスト本体にアースしているため、アース接続が嵩み工数がかかるとともに、カバー１１に半リング状のシース接続部１１ａを形成しているため、カバー１１もダイカストで製作する必要があり、コストが高くなるという問題がある。
【０００９】
そこで、本発明はアース接続構造を簡易化することを目的とする。また、本発明はカバー部材にシース接続部を形成する必要のない構造とすることを目的とする。
【００１０】
【課題を解決するための手段】
上記目的を達成するため、請求項１に記載の発明においては、収納部材に回路部を収納した状態で、ターミナルのアース側に接続されるアース接続部と、シールド部材と、収納部材とを、１箇所にてアース接続した構造にしたことを特徴としている。
【００１１】
この発明によれば１箇所にてアース接続を行うことができるので、アース接続構造を簡易化した放電灯点灯装置を提供することができる。この場合、シールド部材は、請求項２に記載の発明のように、シールド部材をケース部材に固定する固定部材を介して行うことができる。請求項３に記載の発明においては、シールド部材を、ケース部材に固定部材を用いて固定し、ベース部材に回路部およびカバー部材を組み付けた状態で、カバー部材と、ターミナルのアース接続部と、固定部材と、ベース部材とを、ネジ止めによってアース接続した構造にしたことを特徴としている。
【００１２】
この発明によれば請求項１に記載の発明と同じくアース接続構造を簡易化することができるとともに、シールド部材をケース部材に固定しているので、カバーにシース接続部を設ける必要がない構造とすることができる。このことにより、金属製のカバーをプレス加工によって製作することが可能になる。
この場合、請求項４に記載の発明のように、ベース部材にネジ止め部を設け、アース接続部、固定部材およびカバー部材を、そのネジ止め部にてネジ止めできる形状のものとして構成することができる。
【００１３】
請求項５に記載の発明においては、シールド部材を、ケース部材にクリップを用いて固定し、またターミナルのうち電源のアース側に接続されるアース接続部をケース部材から突出したものとし、ベース部材に回路部を組み付け、さらにベース部材の開口した部分にカバー部材を装着した状態で、カバー部材と、アース接続部と、クリップと、ベース部材とを、ネジ止めによってアース接続した構造としたことを特徴としている。
【００１４】
この発明においても請求項３に記載の発明と同様の作用を奏する。
【００１５】
【発明の実施の形態】
以下、本発明を図に示す実施形態について説明する。図１に、本発明の一実施形態を示すバラストの組み付け構成を示す。この図において、図５に示すものと同じ符号を付したものは、同一若しくは均等のものであることを示している。また、バラストの電気的な構成は、図６に示すものと同じである。
【００１６】
この実施形態においては、バラストのカバー（金属製のカバー部材）１１１として、外周部に複数の突起部１１１ａおよびネジ取付部１１１ｂを有する平板状のものとなっており、アルミをプレス加工して製作されている。また、ベース（金属製のベース部材）１２２は、基本的には、図５に示すものと同じ構成で、上部が開口した箱状のものであるが、外側（バスバーケース２１を収納する方と反対側）に突出したネジ止め部（雌ネジが形成されたもの）１２２ａを有し、またシールドシース２７を外部に取り出すことができるようにする開口部１２２ｂが形成されている点で図５に示すものと異なっている。そして、ベース１２２とカバー１１１にて回路部を収納する金属製の収納部材を構成している。
【００１７】
また、この実施形態においては、シールドシース２７はバスバーケース２１にクリップ（固定部材）１２８によって固定されている。すなわち、図２に示すように、バスバーケース２１に取り付けられたグロメット２５の突出部２５ａにシールドシース２７の先端部が嵌め込まれ、この後クリップ１２８によりその先端部がグロメット２５に固定される。
【００１８】
また、ランプ４を点灯制御するための各種回路素子と電気的に接続されるターミナル（配線部材）１２０は、図３に示すような形状をしたものであり、バッテリ１の正極側と接続される端子部１２０ａとバッテリ１の負極側、すなわちアース側と接続される端子部１２０ｂと、この端子部１２０ｂと接続されたアース接続部１２０ｃを有しており、図１に示すように、端子部１２０ａ、１２０ｂは、バスバーケース２１のコネクタ部２１ａ内で突出し、アース接続部１２０ｃは、バスバーケース２１から外部に突出してネジ止めされるようになっている。
【００１９】
上記した構成において、バラストは次のようにして組み付けられる。まず、バスバーケース２１にインサート成型されたターミナル１２０に回路素子（電気部品）１２〜１８などを溶接、ハンダ等で接続し、そして、ＨＩＣ１９が貼り付けられたベース１２２に、バスバーケース２１を接着し、ＨＩＣ１９の各端子とターミナル１２０をワイヤボンディングで接続する。また、出力線２３、２４をターミナル１２０に溶接、ハンダ等で接続し、出力線２３、２４をグロメット２５によりバスバーケース２１に固定する。
【００２０】
そして、シールドシース２７をクリップ１２８を用いてグロメット２５に固定し、この後、カバー１１１をベース１２２の上方から装着して組み付ける。この組み付けは、カバー１１１に設けられた複数の突起部１１１ａをベース１２２とバスバーケース２１の間に挿入し、突起部１１１ａに形成された穴をバスバーケース２１の図示しない突起部に勘合させて行う。
【００２１】
この後、カバー１１１のネジ止め部１１１ｂ、クリップ１２８のネジ取付片１２８ａ、ターミナル１２０のアース接続部１２０ｃ、ベース１２２のネジ止め部１２２ａをネジ１２６を用いてネジ止めする。このことにより、図４に示す外観構造のバラストが完成する。
このバラストにおいて、上記したネジ止めにより、カバー１１１、クリップ１２８、ターミナル１２０のアース接続部１２０ｃおよびベース１２２が、電気的に接続され、アース接続される。従って、カバー１１１、ベース１２２は、ターミナル１２０のアース接続部１２０ｃを介してアース接続され、シールドシース２７は、クリップ１２８およびターミナル１２０のアース接続部１２０ｃを介してアース接続される。
【００２２】
上記した実施形態によれば、カバー１１１、ベース１２２、ターミナル１２０のアース接続部１２０ｃおよびシールドシース２７を、１箇所にてアース接続した構造としているから、バラストの組み付けを簡単にし、コストダウンを図ることができる。また、シールドシース２７をクリップ１２８によりバスバーケース２１に予め固定しておくことにより、カバー１１１としては、シース接続部を設ける必要がないので、金属をプレス加工して製作することができ、コストダウンを図ることができる。
【００２３】
なお、回路素子を実装する実装部材としてバスバーケース２１を用いるものを示したが、プリント基板配線を用いた構成としてもよい。
【図面の簡単な説明】
【図１】本発明の一実施形態に係るバラストの組み付け構成を示す図である。
【図２】シールドシース２７をバスバーケース２１にクリップ１２８により固定する状態を示す図である。
【図３】ターミナル１２０の形状を示す図である。
【図４】本発明の一実施形態に係るバラストの外観構成を示す図である。
【図５】本発明者らが先に試作したバラストの組み付け構成を示す図である。
【図６】図１に示すバラストの電気的な概略構成を示す図である。
【図７】バラスト本体にシールドシース２７を取り付ける状態を示す図である。
【符号の説明】
１１、１１１…カバー、１２…スタータトランス、１３…サイリスタ、
１４、１６、１７…コンデンサ、１５…トランス、１８…インダクタ、
１９…ＨＩＣ、２０、１２０…ターミナル、２１…バスバーケース、
２２、１２２…ベース、２３、２４…出力線、２５…グロメット、
２６、１２６…ネジ、２７…シールドシース、２８、１２８…クリップ。
【図１】
0003598857.tif 000002
【図２】
0003598857.tif 000003
【図３】
0003598857.tif 000004
【図４】
0003598857.tif 000005
【図５】
0003598857.tif 000006
【図６】
0003598857.tif 000007
【図７】
0003598857.tif 000008